(57)【要約】      （修正有）【課題】一般家庭内にて手軽に正確にダイエット効果の検知ができる人体の体積測定装置の提供。【解決手段】浴槽１と内部水槽２の中に温水を入れ通常の風呂の状態にする、３は人体であって、内部水槽２の中に入り身体を首まで沈めると温水面は上昇する、４はその上昇した水面高さを示した上位水面高である。５は人体３が内部水槽２から出た場合の水面高さを示した下位水面高である。人体３が内部水槽２に出入りする事により上下する水面差違の容積は、人体３の首から下の体積に等しい、このことにより簡単、容易に人体３の体積が算定できる。【選択図】図１
0003129558.tif 000002
【実用新案登録請求の範囲】
【請求項１】
浴槽の中に、人体の体積  測定用の内部水槽を入れ、該内部水槽内に人体を出入させることにより、人体の体積を測定する、二重水槽構成を特徴とする人体の体積測定装置。
【請求項２】
請求項１記載の人体の体積測定装置において、浴槽内に入れる内部水槽の壁面を垂直になしたることを特徴とする人体の体積測定装置。
【請求項３】
請求項２記載の人体の体積測定装置において、内部水槽の底部に開閉具を設けてなることを特徴とする身体の体積測定装置。
【請求項４】
請求項２記載の人体の体積測定装置において、内部水槽の内側壁面に水位測定用の水位ケージを設けてなることを特徴とする人体の体積測定装置。
【請求項５】
請求項２記載の人体の体積測定装置において、内部水槽を折り畳み可能になしたることを特徴とする人体の体積測定装置。
【請求項６】
側面を垂直に作成なしたる人体体積測定用の水槽内に人体を出入させ、該体積測定用水槽内の上位水位及び下位水位を電気的に検知電算することにより、人体体積を表示するこ電子的体積計を設けてなりたることを特徴とする人体の体積測定装置。
【考案の詳細な説明】
【技術分野】
【０００１】  本考案は水槽を利用して、人体の体積を測定することにより、人体の肥満の程度を正確に計測する装置に関するものである。
【背景技術】
【０００２】  現今の文明社会は飽食の時代になって居り、そのため栄養過剰になり、肥満者が激増している。
肥満の身体を改善するため、ダイエットなる痩身にする運動が盛んに行われて居り、その運動器具が開発され運動施設も開設されている、その運動成果を知る手段として体重測定が通常の方法として多く実施されているが、電気的に体脂肪を計測する方法も実施されている、体脂肪計の先願として特開平５−１８８１０、特開平９−７９８９４、特開平１０−１２７５９３等、これ以外にも多数出願されている。  又、人体の体積を計測する装置として、密閉するチャンバーを二基用い、一基内に人体を入れ密閉し、両基内の差異により人体の体積を測定するＢｏｄ  Ｐｏｄ法があるが、この装置は大型の高価な装置なるため、肥満測定に使用し得る装置ではない。
身体の断面を超音波にて写し体脂肪を検知する方法も可能であるが、肥満測定に利用する事は不可能な装置である。
体重及び体脂肪の導電率測定にて肥満度を検知するのが、現在一般にて実施されている手法である。
【特許文献】
【０００３】  本考案の出願者が類似の発明を特開２００４−３０５６５３にて出願している。
【考案の開示】
【考案が解決しようとする課題】
【０００４】  人体の肥満は過食と運動不足が原因であるとされている、現今成人の約半数が肥満体であるとされている、肥満は諸種の病を誘発するため、現今社会では肥満防止、肥満低減の対策が色々と実施されている。
歩行運動及び体操器具を使用しての運動、水泳等が多く実施されているが、その効果を知る方法として現今使用されているものは、体重計と人体に通電し脂肪率を計測する方法が使用されている、この方法にても一応の肥満率は判定可能であるか、正確な計測は不可能である。
この電気通電は両足間の導電率を計測しており、全身体の計測をしていないため正確な計測ができていない、又男性と女性は筋肉の質が大きく相違しており、それを同一に扱い体重と身長にて肥満度を算定している現今の方法も正確性から大きく外れて居る。
医療機の中に身体の断面を写す装置があり、このものにて身体の脂肪の状態を視察することができるが、肥満度を判定するために、この高価な医療装置を使用する事は実際上において不可能であり、身体の一部分の脂肪を検視することは、一応の肥満度を判定するものであって、全身の肥満度計測はできない。
肥満者が自宅、或いは健康施設にて軽便に正確な肥満度が計測できる装置が要望されるその装置により、肥満者は自己の身体状況を正確に把握し、正しい対策を実施することが必要である。
肥満度の測定は度々実施する事が必要である、そのため使用法が軽便であり、無料にて実施できることが要望される。
【課題を解決するための手段】
【０００５】  本考案は上記の問題点を解決するためになされたものであって、人体の肥満程度は体型を見れば大体判定できるが、それは身体の容積、即ち身体の体積を目にて計測しているのである、体重が増減すれば体積も正比例して増減するが、体重のみを計測して肥満度を検知して居る現今の方法は誤りであって、身体の脂肪及び筋肉の質は性別にて相違しており、又同じ性別にても同一でなく、このような相違点を無視して体重のみにて全ての人の肥満度を決定するのは正しくない、正確な肥満度を検知するには、人体の体積を基準として算定されなければならない。
人体の体積を計測する手段としては、水又は空気を利用するのが常識であり、現今において空気を利用したものが使用されて居るが、大型の高価な装置なるため医療目的の装置であって、肥満度測定に使用できる装置でない。【０００６】  水利用は古い時代より物品の体積計測法としてアルキメデスも実施しており、本考案も水を使用する、水槽内に人体と水を入れ水槽より人体を出した時の水位にて人体の体積を算定する、この方法は簡単であるが、人体を入れる水槽は強固で大型なものが必要となる、一般家庭にて使用する装置として強固な大型物は好適でない。
使い便利な水槽として本考案は、一般家庭の浴槽の中に更に水槽を入れる方式を採用した、この方式は二重水槽方式であるため、内部の水槽は水圧を零にすることができる、このため軟弱な水槽にても使用可能になり、折り畳み式の軽便な水槽にても正確な装置として使用できる。
この浴槽内に設置する水槽は水圧を受けないため、薄い素材にて作られ安価にて製作できる利点があり、折り畳みが可能になるため、使い便利な物にできる、この内部水槽の材質としては、防水性であって使用可能な物であれば、何を使用しても良い事は勿論である
浴槽内に置く、人体の体積測定用の水槽は軽便な水槽で十分であるが、水位がどの高さにても、水面の面積が同じであることが絶対必要である、この軽便な水槽であって、精度の維持を可能にできるのが、本考案の最大特徴であって、二重水槽方式により、この問題を解決しているが、内部の水槽の側板が正しく製作されていなくては精度が保てないことは勿論でである。【０００７】  浴槽内に置く水槽の中に水を入れるための手段として、この水槽の底部の適宜箇所に、開閉具を設け、開く事により浴槽内の水を入れる、この開閉具の構造種類としては、密閉可能なチャック或いはスライド、ファスナー等が開閉が簡単なため便利である、ネジ式の蓋を設けてもよく、水が一応出し入れできるものであれば良い事は勿論である。【０００８】  内部の水槽内の水位指示具として、水槽内の側面に目盛りゲージを設け、目視にてゲージ面の水位を判定する事は容易である。
人体の出入れによる水位の上限と下限を、電気的にレベル、センサーにて検知し、電算機能にて人体体積を算定する事も可能である。
又、水面上に磁石付きの小さなフロートを浮かべ、目盛りゲージに磁力により付着させ水位を検知する方法もある、この場合はフロートと二個用い、上限検知用と下限検知用とする、この方法は最も簡単、安価で合理的な方法である。【０００９】  現今は飽食の時代になって居り、そのため成人の約半数が肥満体質であるとされているこのような結果、痩せるためのダイエットなる運動が盛んになっている。
ダイエットの効果を検知する方法として、現在使用されている方法は、体重測定のみである、体重が軽くなれば痩せた事になるが、無闇に体重を軽減させ体力を低下させては、いけない、ダイエットの真の目的は強靭な身体を作ることを目的としている、痩せるのが目的でない。
人体を入れる水槽を強固な素材にて作成すれば、二重水槽にする必要が無く、簡単であるが家庭用としては不適であるが、病院、運動施設用等には好適である、強固な水槽の場合は中に水又は湯を入れる際に水量計を通せば、その計量指示にて簡単に人体体積が算定できる、この場合、水位を電気的に計測すれば人体体積を算定し得ることも勿論容易である。
現今、医療機として超音波にて、人体の脂肪及び筋肉を視察するものがあるが、この設備をダイエットの効果状況を把握するために使用することは、実際上において高価な装置なるため実施は不可能である。
又、両足間及び両手間の通電により脂肪率を計測するものがあるが、ダイエットの効果を正確に計測できるものでない。
本案は人体の容積、即ち人体の体積を計測して、人体の比重値を重点に置く新規な健康視察装置である。
【考案の効果】
【００１０】  本考案は上記の構成なるため、以下の効果を奏する、従来の肥満測定の基準は、体重を基礎にして算定されていた、この方法は一応の判定方法であって、正確な方法でない。
人体の体積にて算定するのが正しいのであるが、その体積を計測する装置、器具が皆無に近く、そのため体重計方式にならざるを得なかったのである。
本考案にて一般家庭内にても容易に体積の計測が可能になり、ダイエットの効果が正確に把握できる、測定に要する費用は無料に等しく、この測定装置の製作費も極めて安価にて製造できる。
本考案の出現により、正しくダイエット運動を実施することができる、即ち単純に体重のみを増減させるのでなく、人体の体積を増減させ、美的な身体を作るのでなく、強健な身体を作る事を本案は  可能とする。
【考案を実施するための最良の形態】
【００１１】  一般家庭用としては、家庭風呂内に入れる水槽の二重水槽方式にして、その内部の水槽は折り畳み方式にする、水位の測定は目視方式、又は電気的測定方式にする、この方式は不使用時の収納に便利であり、極めて安価に製造できる。
病院、運動施設用としては、強固な単式水槽方式にして、電気的に水位を測定し人体の体積を算定する、この方式は製造が簡単であり操作も簡単である。
【実施例】
【００１２】  以下本考案を図面に基づき詳細に説明する、［図１］は本考案の人体の体積測定装置の断面図であって、１は一般家庭にて使用されている浴槽である、２は浴槽１の中に入れられた内部水槽であって、浴槽を二重にした構成である。
浴槽１と内部水槽２の中に温水を入れ通常の風呂の状態にする、３は人体であって、内部水槽２の中に入り身体を首まで沈めると温水面は上昇する、４はその上昇した水面高さを示した上位水面高である。
５は人体３が内部水槽２から出た場合の水面高さを示した下位水面高である。
人体３が内部水槽２に出入りする事により上下する水面差違の容積は、人体３の首から下の体積に等しい、このことににより簡単、容易に人体３の体積が算定できる。
近年は飽食の時代となりそのため肥満者が激増しており、そのため痩身運動が盛んになって居るが、その運動効果を測定する方法として、体重計を主として使用し、一部にて、電気的に体脂肪を測定して居た、これらの方法にて一応の結果測定は可能であるが、痩身運動の真の目的は体重、脂肪を減少させるのでなく、強靭な体格を作るのが目的である。その目的の成果を判定するには、身体の体積を知ることが必要である、しかし体積測定の装置は皆無に近く、その測定ができなかった。【００１３】  一般家庭の浴槽１は、通常において浴槽メーカーの成型製品を使用して居り、この浴槽１は底部の面積が小さく、上部が大きく作られている、このため水位の位置が変化すれば水面の面積も変化し、水容積の算定が、難しく困難である不可能でないが、簡単にできない、そこで容積計算を簡単化させるために、垂直の壁面の水槽を中に入れ二重浴槽方式にしたのが、本考案の特徴である。
内部水槽２は壁面が垂直なるため、どの水位高にても水面の面積は同じであり容積計算が極めて容易である。【００１４】  ［図２］は本考案の人体の体積測定装置の内部水槽２の説明斜視図である、浴槽１の中に更に内部水槽２を置く二重浴槽方式の利点は、内部水槽２を薄い素材にて作製しても内側と外側からの水圧を等しく受けるため、強固に作る必要がなく、そのため折り畳み方式に作る事が可能になる、この事により取扱いが便利になり、収納にも便利であり、製造価格が極めて安価になる。
内部水槽２の素材としては、防水性の物であれば、どのような物を使用しても可能であるが、ゴム、化学性素材が好適である。
６は内部水槽２の底面に設けられたネジ式の開閉蓋であって、温水を出し入れするためのものである、７は内部水槽２の側板に設けられたスライド、ファスナー又はチャックである、これらのネジ蓋６及びスライド、ファスナー、又はチャック７は、底部のどの位置に設けても良く、又開閉可能なものであれば、どのような方式のものを使用しても良いことは勿論である。【００１５】  ［図３］は本考案の人体の体積測定装置の水位表示具の説明図であって、一般家庭の浴槽１の中に置く体積測定用の内部水槽２の内側壁面の適宜位置に水面ゲージ８を設ける、この水面ゲージ８は磁石に磁着する物質にて作製するか、又は内臓させる、薄鉄板を防錆処理したものを使用するのも好適な一案である。
９は内部水槽２の中に入れられた浴槽水であって、この浴槽水９の水面は人体の出入りにて上下する、１０は浴槽水９の水面に浮かばせた浮具であって、小さな極めて軽いものである、水面に浮かぶ物質であれば何を使用しても良い事は勿論である。
１１は浮具１０の中に入れられたマグネットであって、このマグネット１１の磁力にて水面ゲージ８に磁着させ水位高を指示させる、浮具１０は上位水位用と下位水位用の二個使用し、この二個の間隔長さと、水面面積の積が人体の体積になる。【００１６】  ［図４］は本考案の人体の体積測定装置の電子測定具を装置した説明図である［図３］は水位の上下値を目にて見て算定する方式であるが、［図４］は電子的に水位の上下値を検知し水量を計算するものである、水量は人体の体積に等しいため、人体体積の計算が自動的にでき極めて簡単、便利である。
１２は電子測定具である、１３は測定用水槽にして、この測定用水槽１３は強固に作られているため単槽にて使用することができ、運動施設、或いは病院用として使用するものである測定用水槽１３は壁面が垂直な浴槽と想像すればよい、１４は測定用水槽１３の中に入れられた測定用水である。
本考案の出現により人体の体積が簡単に測定可能になる、それにより今後のダイエットの目標値は体重値を基礎にせず、正確な判定ができる身体の比重値を基礎にする方法に変更されるであろう。、
電子測定具１２を［図３］の場合の測定に代用として使用し得ることは勿論可能である。
本考案はこのような実施例に何等限定されるものでなく、考案の要旨を逸脱しない範囲において種々なる態様にて実施し得ることは勿論である。
【産業上利用の可能姓】
【００１５】  現今社会は肥満者が激増しており、そのため痩身のダイエット運動が盛んになっているが、その運動の成果を正しく測定する器具、装置がなく、そのため体重計にて一応の測定をしていたが、本考案装置の出現によりダイエット運動の成果が正確に測定可能になる。
本考案装置は一般家庭にて実施し得るものであり、安価なるため利用の可能性は高い。
【図面の簡単な説明】
【００１６】
【図１】は本考案の人体の体積測定装置の断面図である。
【図２】は本考案の人体の体積測定装置の内部水槽の説明斜視図である。
【図３】は本考案の人体の体積測定装置の水位表示具の説明図である。
【図４】は本考案の人体の体積測定装置の電子測定具を装置した説明図である。
【符号の説明】
【００１７】  １  浴槽
２  内部水槽
３  人体
４  上位水面高
５  下位水面高
６  ネジ蓋
７  スライド、ファスナー又はチャック
８  水位ゲージ
９  浴槽水
１０  浮具
１１  マグネット
１２  電子測定具
１３  測定用水槽
１４  測定用水
【図１】
0003129558.tif 000003
【図２】
0003129558.tif 000004
【図３】
0003129558.tif 000005
【図４】
0003129558.tif 000006